(57)【要約】【課題】階段や床の側壁への支柱取付部に意匠性と安全性を備えた手摺を提供する。【解決手段】階段や床の側壁に支柱取付装置を用いて支柱が取付けられる手摺において、前記支柱取付装置を前記側壁に固着される取付部と前記支柱の下部を固定する固定部とを有するベースプレートと、そのベースプレートに装着され、そのベースプレート及び支柱の下部を隠蔽するカバーとから構成した。【選択図】  図３
2010236272.tif 000002
【特許請求の範囲】
【請求項１】
階段や床の側壁に支柱取付装置を用いて支柱が取付けられる手摺において、
前記支柱取付装置は、前記側壁に固着される取付部と前記支柱の下部を固定する固定部とを有するベースプレートと、そのベースプレートに装着され、そのベースプレート及び支柱の下部を隠蔽するカバーとからなることを特徴とする手摺。
【請求項２】
カバーは、側壁に固着されたベースプレートに装着されたとき、そのベースプレートを被覆できるように形成され、上面壁にベースプレートに固定された支柱に嵌合する切欠孔を有することを特徴とする請求項１に記載の手摺。
【請求項３】
カバーは、下面壁にカバー内に浸入した水を抜くための水抜孔が形成されていることを特徴とする請求項１又は２に記載の手摺。
【請求項４】
ベースプレートは、支柱の下端部をベースプレートの固定部の下端面から下方に突出させずに支柱を固着することを特徴とする請求項３に記載の手摺。
【請求項５】
カバーがベースプレートに装着された状態で、そのカバーの下面壁の上面と前記ベースプレートの固定部の下端面及び支柱の下端部との間に隙間が設けられていることを特徴とする請求項３に記載の手摺。
【請求項６】
カバーは、上面壁と下面壁の背面側端部に係止爪を有し、その上下の係止爪をベースプレートの取付部の上下端部に係止してベースプレートに装着されることを特徴とする請求項１，２，３，４，５のいずれか１項に記載の手摺。
【発明の詳細な説明】
【技術分野】
【０００１】
本発明は、階段又は床の側壁に支柱を用いて取付けられる手摺に関する。
【背景技術】
【０００２】
手摺が取付けられる階段や床の有効面積を広くするため、手摺の支柱を階段や床の側壁に取付けることが提案されている(特許文献１、２）
このような手摺は、支柱が通行の邪魔にならず、階段や床に広がり感を与え、それまでにない意匠的外観を呈する長所を有する。
【先行技術文献】
【特許文献】
【０００３】
【特許文献１】実開平５−８２８号公報
【特許文献２】特開２００６−３２８９３７号公報
【発明の概要】
【発明が解決しようとする課題】
【０００４】
しかしながら、階段や床の側壁に手摺の支柱を取付ける従来の取付装置は、階段や床の側壁にベースプレートを固着し、そのベースプレートの正面に支柱を当接し、支柱及びベースプレートに貫通したボルトをベースプレートの背面の凹溝に嵌合したナット板に螺合して支柱を固定するようにしたもの（特許文献１）、又は階段や床の側壁にブラケットを固着し、そのブラケットに設けた筒部に支柱の下端部を挿入し、筒部から支柱にビスをねじ込んで固定するようにしたもの（特許文献２）であるため、いずれもベースプレート又はブラケットが階段や床の側壁から突出して露見し、支柱取付部が見苦しく外観意匠性に問題があるとともに、ベースプレート又はブラケットの外面の鋭角部あるいは支柱の下端部切断面が露出しているため、手摺や支柱に掴まって遊ぶ幼児等がそれらの鋭角部や切断面で負傷する虞があり、安全性にも問題があった。
【０００５】
そこで、本発明は、階段や床の側壁への支柱取付部に安全性と意匠性を備えた手摺を提供することを目的としている。
【課題を解決するための手段】
【０００６】
上記目的を達成するため、本発明は、階段や床の側壁に支柱取付装置を介して支柱が取付けられる手摺において、前記支柱取付装置は、前記側壁に固着される取付部と前記支柱の下部を固定する固定部とを有するベースプレートと、そのベースプレートに装着され、そのベースプレート及び支柱の下部を隠蔽するカバーとからなることを特徴としている（請求項１）。
【０００７】
上記カバーは、階段や床の側壁に固着されたベースプレートに装着されたとき、そのベースプレートを被覆できるように形成され、上面壁にベースプレートに固定された支柱に嵌合する切欠孔を有することを特徴としている（請求項２）。
【０００８】
上記カバーは、下面壁にカバー内に浸入した水を抜くための水抜孔が形成されていることを特徴としている（請求項３）。
【０００９】
上記ベースプレートは、支柱の下端部をベースプレートの固定部の下端面から下方に突出させずに支柱を固着することを特徴としている（請求項４）。
【００１０】
上記カバーがベースプレートに装着された状態で、カバーの下面壁の上面とベースプレートの固定部の下端面及び支柱の下端面との間に隙間が設けられていることを特徴としている（請求項５）。
【００１１】
上記カバーは、上面壁と下面壁の背面側端部に係止爪を有し、その上下の係止爪をベースプレートの取付部の上下端部に係止してベースプレートに装着されることを特徴としている（請求項６）。
【発明の効果】
【００１２】
請求項１の発明によれば、支柱の下部及びベースプレートがカバーにより隠蔽されるので、支柱取付部の安全性が確保され、意匠性も向上する。
【００１３】
請求項２の発明によれば、ベースプレートにより階段や床の側壁に既に取付けられている支柱に影響されずにカバーを装着することができ、施工性が向上する。
【００１４】
請求項３の発明によれば、支柱に伝わってカバー内に流下する水又はカバーの上面壁の切欠孔から進入する水をカバーの水抜孔から排水することができる。
【００１５】
請求項４の発明によれば、支柱の中を通ってカバー内に流下する水を支柱の下端部の中に溜めることなく、水抜孔から排水することができる。
【００１６】
請求項５の発明によれば、支柱の中をもしくは支柱の外面を伝わってカバー内に流下する水又はカバーの上面壁の切欠孔からカバー内に進入する水をカバーの中に溜めることなく、水抜孔からより迅速に排水することができる。
【００１７】
請求項６の発明によれば、カバーをベースプレートに容易に装着することができる。
【図面の簡単な説明】
【００１８】
【図１】本発明に係る手摺の取り付け状態を示す姿図である。
【図２】支柱取付部の拡大正面図である。
【図３】図２のＡ−Ａ線断面図である。
【図４】図３のＢ−Ｂ線断面図である。
【図５】ベースプレートを示す図であり、（ａ）は正面図、（ｂ）は平面図、（ｃ）は（ａ）のＣ-Ｃ線断面図である。
【図６】カバーの展開図であり、（ａ）は平面図、（ｂ）は背面図、（ｃ）はＤ-Ｄ線断 面図、（ｄ）は右側面図、（ｅ）はＥ-Ｅ線断面図である。
【発明を実施するための形態】
【００１９】
次に、本発明の実施の形態について、図面を参照しながら説明する。
図１において、１は通路の床であり、その床１の側壁２に本発明に係る支柱取付装置３を用いて支柱４が取付けられ、複数の支柱４の上端部にブラケット５を用いて手摺６が取付けられている。
【００２０】
本発明に係る支柱取付装置３は、ベースプレート７と、カバー８とからなっている。
ベースプレート７は取付部７１と固定部７２とを一体に有する。
【００２１】
取付部７１は、ベースプレート７を床１の側壁２に固着するためのものであり、固定部７２の左右両側に設けられて、上下に一対の貫通孔７３が形成されている。
【００２２】
固定部７２は、支柱４の断面外輪郭形状と相似形の断面形状を有する筒状に形成されている。図示の例では、固定部７２は、断面形状が支柱４の断面外輪郭形状と同じく円筒状に形成されている。支柱４の断面外輪郭形状が矩形であれば、固定部７２の断面形状も矩形とされる。そして、固定部７の正面部分の上下２箇所に貫通孔７４が形成されている。
【００２３】
ベースプレート７は、図３に示すように、取付部７１を床１の側壁２に当接し、貫通孔７３の中心を側壁２に予め設けてある孔１０の中心と合致させ、貫通孔７３に挿通した引抜き拡張式リベット９を孔１０に植込むことにより、ベースプレート４を固定部７２が側壁２から突出する状態で側壁２に固着することができる。
【００２４】
カバー８は、側壁２に固着されたベースプレート７にその外側から嵌合装着してベースプレート７を隠蔽することができるように、一例としてほぼ起立する船形に形成されている。さらに詳しくは、カバー８は、横断面形状が支柱４の断面外輪郭形状に対応するほぼ円弧状の正面壁８１と、その正面壁８１の上端部に設けられた上面壁８２と、正面壁８１の下端部に設けられた下面壁８３とを有して、中空かまぼこ状の外観形態を有している。  そして、上面壁８２にはＵ字状の切欠孔８４が設けられている。その切欠孔８４の円弧中心は正面壁８１の横断面の円弧の中心線上に存在している。また、正面壁８１の背面側端部と上面壁８２の背面側端部は共通の垂直面上に存在する。カバー８の下面壁８３には、その下面壁８３の円弧中心に中心を有する水抜孔８５が設けられている。支柱４の断面外輪郭形状が矩形の場合は、切欠孔８４もコ字形とされる。この場合、正面壁８１の横断面形状もコ字形としても良い。
【００２５】
カバー８は、これを側壁２に固着されたベースプレート７の外側から嵌合装着してそのベースプレート７の全体を被覆した状態で、ビス等を用いずにベースプレート７に固定されるようになっている。
【００２６】
カバー８をベースプレート７に装着する構造はとくに限定されない。図示の例について説明すると、ベースプレート７の取付部７１の上下端縁を表側（側壁２と反対側）に突出するように切り起こして係止片７５を形成するとともに、その係止片の裏側（側壁２側）に空所７６を形成してある。また、カバー８の上面壁８２と下面壁８３の背面側端部にそれぞれ上方及び下方に突出して先端にテーパ面を有する係止爪８６を形成してある。そして、ベースプレート７の高さ寸法とカバー８の上面壁８２と下面壁８３間の距離をほぼ等しくしてある。
【００２７】
上記構成において、カバー８を側壁２に固着したベースプレート７に向けて接近し、そのカバー８の上下の係止爪８６をベースプレート７の各係止片７５に対応させてカバー８をベースプレート７側に押し付ける。これにより、係止爪８６のテーパ面が係止片７５の先端面に当たって上面壁下面壁間の距離が僅かに広がり、テーパ面が係止片７５の先端面を乗り越え、図４に示すように、係止片７５が空所７６に嵌入して固定されるようになっている。
【００２８】
続いて、上記の支柱取付装置３を用いて手摺用支柱４を取付ける要領を説明する。
ベースプレート７の取付部７１を側壁２に当て、その取付部７１の孔７３に引抜き拡張式リベット９を貫通し、さらに側壁２に設けてある孔１０に挿入し、ナット１１を締め付けて固着する。引抜き拡張式リベット９に代えて、押し込み拡張式リベット又はコーチスクリュー等を用いても良い。続いて、支柱４の下部をベースプレート７の固定部７２に挿入し、固定部７２の正面からビス１２をねじ孔に貫通し、支柱４にねじ込んで支柱を取り付ける。この場合、支柱４の下端面はベースプレート７の固定部の下端面から下方に突出させない。ビスのねじ込みをベースプレートの固定部の正面に行うので、側面にねじ込む場合よりも容易に行うことができる。
【００２９】
次に、カバー８をベースプレート７の正面に接近し、上下の係止爪８６をベースプレート７の上下の係止片７５に係止させて、カバー８を装着し、支柱４の下部とベースプレート７を被覆する。
【００３０】
ビスなどの固着具を用いずに係止爪７５の係止によりカバー８を固定するので、固着具が外面に露出しない。また、カバー８の外面に現れる角部が全てＲ加工８’されて、鋭角部がない。従って、カバーの外観意匠性が向上するとともに、カバー８の外面にビスの頭が突出しないので、支柱等に掴まって遊ぶ幼児等が怪我をする虞がなく、安全性が高い。
【００３１】
ベースプレート７の下端面とカバー８の下面壁の上面との間は、僅かに離間されて隙間１３が形成されている。そして、水抜孔８５は支柱４の軸芯の延長上に存在する。そのため、支柱の中又は支柱の外面に沿って流下する雨水あるいはカバー８の上面壁の切欠孔８８４からカバー８内に入る雨水は、カバー８内の底部に溜まることなく、水抜孔８５から排水される。
【産業上の利用可能性】
【００３２】
図示の例は、支柱４を床１の側壁２に取り付ける場合のものであるが、階段の側壁に取付ける場合も同様に実施することができる。
【符号の説明】
【００３３】
３      支柱取付装置
４      支柱
６      手摺
７      ベースプレート
７１    取付部
７２    固定部
７５    係止片
８      カバー
８１    正面壁
８２    上面壁
８３    下面壁
８４    切欠孔
８５    水抜孔
８６    係止爪
【図１】
2010236272.tif 000003
【図２】
2010236272.tif 000004
【図３】
2010236272.tif 000005
【図４】
2010236272.tif 000006
【図５】
2010236272.tif 000007
【図６】
2010236272.tif 000008